(57)【要約】【課題】コンピュータシステムの一操作方式として、キャラクタユーザインタフェースにおいて、作業者の労力の低減と誤入力を防止する。またセキュリティ環境での使用も可能とする。【解決手段】コンピュータシステムの作業者は、操作手順書１０に印刷されている所望する操作に対応するマークを探して、端末２０に接続したマークリーダ３０から読み込む。リーダ３０はマークの内容を解析し、文字列として端末２０のキーボードの代わりに読み込む。読み込まれた文字列は端末２０に接続した画面に表示し、操作文字列としてコンピュータシステム４０を操作する。その操作結果は端末２０に接続した画面に表示する。作業者は端末２０に表示した操作結果に基づき、次に入力する文字列を、手順書１０に印刷されているマークから選択する。後は作業者が全てのコンピュータシステムの操作が完了するまで上記を繰り返す。【選択図】図１
2008171216.tif 000002
【特許請求の範囲】
【請求項１】
コンピュータシステムを作業者が操作する方法において、操作手順書に記載している操
作文字列の近傍に、該当操作文字列に対応するマークを印刷し、作業者は所望する操作を
行う際に、対応するマークを読み込ませる事でコンピュータシステムを操作し、作業者に
よる文字列入力を補う事を特徴とするコンピュータシステムの操作方式。
【請求項２】
前記操作手順書に印刷するマークはバーコードであり、前記マークの読み込み手段はバ
ーコードリーダである事を特徴とする、請求項１に記載のコンピュータシステムの操作方
式。
【請求項３】
コンピュータシステムを操作する作業者に代わって、操作文字列を自動入力し、入力結
果を読み込み、次に入力すべき操作文字列を自動判断するコンピュータプログラムにおい
て、前記プログラムのプログラミングを行わなくても、コンピュータシステムを操作する
事の出来る事を特徴とする、請求項１または請求項２に記載のコンピュータシステムの操
作方式。
【請求項４】
作業者が操作するコンピュータシステムが、内蔵及び接続出来るハードウエアに制限を
設けているセキュリティ構成で運用されている為、作業者が所望する操作に対応する操作
文字列を自動入力し、入力結果を読み込み、次に入力すべき操作文字列を自動判断するコ
ンピュータプログラムを、前記セキュリティ構成のコンピュータシステムに格納出来ない
場合においても、コンピュータシステムを操作する事の出来る事を特徴とする、請求項１
または請求項２に記載のコンピュータシステムの操作方式。
【請求項５】
作業者が操作するコンピュータシステムが、持ち込み制限を設けているセキュリティ環
境で運用されている為、作業者が所望する操作に対応する操作文字列を自動入力し、操作
結果を読み込み、次に入力すべき操作文字列を自動判断するコンピュータプログラムを、
前記セキュリティ環境のコンピュータシステムに持ち込めない場合においても、コンピュ
ータシステムを操作する事の出来る事を特徴とする、請求項１または請求項２に記載のコ
ンピュータシステムの操作方式。
【発明の詳細な説明】
【技術分野】
【０００１】
本発明は、コンピュータシステムの操作方式に関する。
【背景技術】
【０００２】
コンピュータを操作する１つの方法としてキーボード操作がある。具体的にはキーボー
ドから１文字づつ文字を入力し、全体として意味のある文字列としてコンピュータに指示
を出す方法である。これをキャラクタユーザインタフェース（ＣＵＩ）と呼ぶ。
【０００３】
また、ポインティングデバイスを使用する方法もある。キーボードからの文字列入力の
代わりにディスプレイに表示している絵文字をポインティングデバイスで操作する方法で
ある。これをグラフィックユーザインタフェース（ＧＵＩ）と呼ぶ。
【０００４】
キャラクタユーザインタフェースの欠点としては、キーボードから１文字づつ正確な文
字を入力しなければならず、作業者の労力が大きく、誤入力も発生しやすい。この為、作
業者の文字列入力を簡略化する方法が考案されている。
【０００５】
その１つにマークを利用する方法がある（例えば、特開平８−２３７５８５号公報参照
）。
【０００６】
図２はビデオＣＤプレーヤとマークリーダを組み合わせた構成である。冊子１００に印
刷しているマークをマークリーダ１１０で読み込み、ビデオＣＤプレーヤ１２０が対応す
るビデオＣＤ１３０の画像データと音声データとを検索して取り出してテレビジョン１４
０に表示する。
【０００７】
しかしながら、この冊子１００に印刷したマークの使用目的としてはビデオＣＤ１４０
から情報を取り出す為に用いるインデックス情報であり、それ以上の利用目的は無く、キ
ャラクタユーザインタフェースでの使用を意図していない。
【０００８】
【特許文献１】特開平８−２３７５８５号公報
【発明の開示】
【発明が解決しようとする課題】
【０００９】
本発明が解決しようとする問題点は、キャラクタユーザインタフェースにおいて、作業
者がキーボードから１文字づつ正確な文字を入力しなければならず、作業者の労力が大き
く、誤入力も発生しやすい点である。
【００１０】
また、作業者が入力すべき操作文字列を、作業者に代わり自動入力するプログラムが存
在したとしても、そのプログラム本体は予めプログラミングして作り込み、デバッグをし
て不良を取り除いておく必要がある点である。
【００１１】
また、予めプログラミングとデバッグが完了している上記の自動入力プログラムが存在
していても、そのプログラム本体を、記録媒体を経由して、操作対象のコンピュータ上に
移動出来無い場合は、結果として使用出来ない点である。
【課題を解決するための手段】
【００１２】
本発明におけるコンピュータシステムの操作手段は、キャラクタユーザインタフェース
の前述の問題点を解決する為に、操作手順書の操作文字列の近傍に、対応するマークを印
刷する手段と、操作対象のコンピュータシステムが印刷したマークを読み込む手段と、読
み込んだマークの内容をキーボードからの入力として実行する手段と、実行した結果を操
作対象のコンピュータシステムの画面に表示する手段を有している。
【発明の効果】
【００１３】
本発明によれば、キャラクタユーザインタフェースにおいて、操作手順書に印刷したマ
ークを読み込み、読み込んだマークを作業者からのキーボード入力として実行することに
より、以下の様に問題点を改善する。
【００１４】
作業者による文字列入力の労力を低減する。
【００１５】
また、作業者による文字列の誤入力を排除する。
【００１６】
また、作業者に代わって操作文字列を自動入力するプログラムが存在したとしても、そ
のプログラムを使用する事なく、コンピュータシステムを操作出来る。
【００１７】
また、作業者に代わって操作文字列を自動入力するプログラムを読み込めない環境、例
えば、前述した自動入力プログラムを格納した携帯メモリやコンパクトディスクを読み込
むインタフェースを有さない、セキュリティに対応したパソコンにおいても、操作出来る
。
【００１８】
また、作業者に代わって操作文字列を自動入力するプログラムを持ち込めない環境、例
えば持ち込みが出来る部材に制限があり、前述した自動入力プログラムを格納した携帯メ
モリやコンパクトディスクを持ち込めないセキュリティに対応したコンピュータルームに
おいても、操作出来る。
【発明を実施するための最良の形態】
【００１９】
本発明は、コンピュータシステムを操作する作業者が、キーボードを用いて操作文字列
を入力することなく、所望する操作を実現するという目的を、最少の部品点数で実現した
。
【実施例１】
【００２０】
図１は本発明の実施例１のハードウエア構成であって、１０は作業者の操作文字列に対
応するマークを印刷した操作手順書、２０は操作するコンピュータシステムに接続する端
末、３０は端末２０に接続したマークリーダ、４０は作業者が操作する対象のコンピュー
タシステム、５０は端末２０とコンピュータシステム４０とを接続するネットワークケー
ブル、６０は端末２０に接続したキーボードである。
【００２１】
前提として、端末２０とコンピュータシステム４０とはネットワークケーブル５０で接
続され、端末２０に接続しているキーボード６０によりコンピュータシステム４０を操作
出来る環境にあるとする。
【００２２】
先ず、作業者は端末２０にマークリーダ３０を接続する。マークリーダ３０とキーボー
ド６０は並列使用出来る様に接続する。次に作業者はコンピュータシステム４０を端末２
０に接続したキーボード６０から操作出来ることを確認する。
【００２３】
作業者はコンピュータシステム４０を操作出来ることを確認した後に、操作手順書１０
に印刷している所望する操作に対応するマークを探して端末２０に接続したマークリーダ
３０から読み込む。
【００２４】
マークリーダ３０は読み込んだマークの内容を解析して文字列として端末２０のキーボ
ード６０の代わりに読み込む。読み込んだ文字列は端末２０に接続した画面に表示した上
で、操作文字列としてコンピュータシステム４０を操作する。コンピュータシステム４０
は操作結果を端末２０に接続した画面に表示する。
【００２５】
作業者は端末２０に表示した操作結果に基づき、次に入力する文字列を、作業手順書１
０に印刷しているマークから選択する。
【００２６】
後は全てのコンピュータシステムの操作が完了するまで上記を繰り返す。
【００２７】
最後に、作業者は端末２０からマークリーダ３０を取り外してキーボード６０のみの元
の構成に戻して作業終了とする。
【図面の簡単な説明】
【００２８】
【図１】本発明の実施方法を示した説明図である（実施例１）。
【図２】従来技術の実施方法を示した説明図である。
【符号の説明】
【００２９】
１０…作業者の操作文字列に対応するマークを印刷した操作手順書、２０…操作するコ
ンピュータシステムに接続する端末、３０…マークリーダ、４０…作業者が操作する対象
のコンピュータシステム、５０…ネットワークケーブル、６０…キーボード、１００…ビ
デオＣＤのインデックス情報を印刷している冊子、１１０…マークリーダ、１２０…ビデ
オＣＤプレーヤ、１３０…ビデオＣＤ、１４０…ビデオＣＤの情報を表示するテレビジョ
ン。
【図１】
2008171216.tif 000003
【図２】
2008171216.tif 000004